(57)【要約】【課題】履物における底板に対しては密着性が強く、また、足裏に対しては密着性を抑制して通気性を高くし、かつ、土踏まず・中足骨・小指側アーチに対するサポート力を向上して刺激を強くするとともに、汚れの付着しにくい衛生的・美麗・コスト安の履物用インソールを確保する。【解決手段】シリコンゴムを素材として金型に収めて該金型を加熱し加圧することにより、土踏まず５から五指付根６までの全幅に亘って広がる下面２を扁平鏡面とし、上面３には凹凸や浮き出し模様（エンボス加工）４を施し、かつ、土踏まず５のアーチ形頂点を最大肉厚とし該最大肉厚から周辺９に向かうに伴って肉薄とする硬度２５度ないし３５度の引張り強度を有する本体１を一体的に押圧成形した履物用インソールを構成する。【選択図】　図１
2004105457.tif 000002
【特許請求の範囲】
【請求項１】
シリコンゴムを素材として金型に収めて該金型を加熱し加圧することにより、土踏まず（５）から五指付根（６）までの全幅に亘って広がる下面（２）を扁平鏡面とし、上面（３）には凹凸や浮き出し模様（エンボス加工）（４）を施し、かつ、土踏まず（５）のアーチ形頂点を最大肉厚とし該最大肉厚から周辺（９）に向かうに伴って肉薄とする硬度２５度ないし３５度の引張り強度を有する本体（１）を一体的に押圧成形したことを特徴とする履物用インソール。
【発明の詳細な説明】
【０００１】
【発明の属する技術分野】
本発明は履物用インソールに関し、更に詳細にはパンプス・サンダル・ミュール・ブーツ等の底板と足裏の土踏まずから五指付根までの全幅との間に生ずる隙間に当該隙間に相応する立体形状の本体を当該底板にあてがうだけでその機能を十分に発揮できるようにした履物用インソールに係わる。
【０００２】
【従来の技術】
従来、この種のインソールはポリエチレンにオイルを混じたコスモゲルを素材として用い、これを履物底板と足裏の土踏まず間に生ずる隙間に相応する立体形状にインジェクション方式による金型成形したものが知られている。
【０００３】
【発明が解決しようとする課題】
前記の従来技術によるインソールは、要するにゲル状素材を金型に注入方式で単に本体の表裏を鏡面に、しかも、土踏まずのみに相応する立体形状に成形して製品としたものである。
【０００４】
従って、本体の硬度が６度ないし１０度と極めて柔らかく、使用に際しては足裏土踏まずのアーチを支えることも該部への刺激を与えることもできず、土踏まず及びその周辺と本体の表面とが押圧密着し、べた付いて着用感が悪く足裏発汗時には逆に滑りやすく、しかも、通気性は全くなく発汗による汚れに対する自然払拭ができず、素材自体が汚れの付着し易い性状と相俟って衛生面も悪い等種々雑多の問題点が生じている。
【０００５】
また、本体は土踏まずに相応するだけであり、前記素材の硬度不足とが相俟って使用中に肉薄の周辺が丸まったり、めくれたり、ずれたりして剥離現象が生じ脱落する不都合や不具合も生じている。
【０００６】
さらに、インジェクション金型成形によるものであるから、ゲル状素材が製品として前記硬度に達するまでに時間がかかって生産性に劣り、かつ、製品には金型注入口の痕跡やバリが歴然として残存し頗る体裁も悪い。
【０００７】
【課題を解決するための手段】
本発明は前記従来技術による多くの問題点に鑑みて、本体機能に適応すべき素材並びに素材の硬度・形状・大きさ等を精査し改善した履物用インソールの提供を目的とする。
【０００８】
而して、本発明の要旨とするところはシリコンゴムを素材として金型に収めて該金型を加熱し加圧することにより、土踏まずから五指付根までの全幅に亘って広がる下面を扁平鏡面とし、上面には凹凸や浮き出し模様（エンボス加工）を施し、かつ、土踏まずのアーチ形頂点を最大肉厚とし、該最大肉厚から周辺に向かうに伴って肉薄とする硬度２５度ないし３５度の引張り強度を有する本体を一体的に押圧成形したことを特徴とする履物用インソールにある。
【０００９】
本発明によると、先ず本体の下面を履物類の当該部、つまり、足裏の土踏まずから五指付根までの全幅に相応する底板にあてがう。本体はシリコンゴムの特性と柔軟性並びに凹凸のない扁平な鏡面が前記底板の平面形状に沿って密接し不動のものとなる。
【００１０】
このように、底板に対して本体が密接すると密着面積が広く、その水平方向に対しては大きな抵抗が生じて滑り・動揺・ずれ・めくれ等が生じにくくなる。
従って、本体を履物類の底板に設定したのち使用すると、足裏の土踏まずから五指付根までの全幅に亘って本体の表面が接する。このとき、足裏の土踏まずの一番深く窪んだところに本体の最大肉圧が相応して当接するとともに、これが同様に五指付根並びに足裏の全幅にまであてがうことになる。
【００１１】
ところで、本体の硬度は２５度ないし３５度の引張り強度があるので、使用においてその体重の圧力がかかって本体自体には形状変化は生ぜず、それどころか土踏まず・中足骨・小指側アーチへの刺激を強化し、かえって該部のアーチ形又はウエーブ状へのサポート機能が向上する。
【００１２】
そして、本体は前記の如くの大きさにより足裏の土踏まずから五指付根の全幅に亘って相応するので、爪先によって本体を引っ掛けるおそれはなく、その周辺からめくれたり丸まることがなく、前記密着面積が大きいことと相俟って底板から剥離し脱落することもない。
【００１３】
さらに、本体表面の凹凸や浮き出し模様によって通気機能が生じ、足裏との密着を防ぎ、発汗に対して蒸発作用を促すとともに汚れが付着しにくく衛生面の保全に役立つ。
【００１４】
【発明の実施の形態】
次に、本発明の実施形態について図面を参照しつつ説明する。なお、図１は本発明の一実施形態の右足用本体を示す説明的正面図、図２は同じく左側面図、図３は同じく平面図、図４は同じく使用態様を示す説明図である。
【００１５】
図中、１は本体である。本体１は汎用のシリコンゴムを素材として用い、これを金型にて加熱・加圧による押圧成形したものである。
本体１の下面２は扁平な鏡面を呈し、上面３には凹凸や浮き出し模様４等のエンボス加工が施してあり足裏のアーチ形に窪んだ土踏まず５から五指付根６までの全幅に亘って広がる部分と履物７の底板８間で形成する立体的隙間の外観を表している。
【００１６】
本体１の具体的な大きさは全長１４ｃｍ、全幅８ｃｍ、最大肉厚０．７５ｃｍ、最小肉薄０．０７ｃｍであり、最大肉厚から本体１の周辺９に向かうに伴って恰も等高線の如く徐々に肉薄となり、その断面は下面２に対して上面３がアーチ形やウエーブ状の外観を呈している。従って、履物７の底板８に本体１の下面２をあてがうと、本体１の柔軟性と相俟って底板８の形状に沿って密着する（図４参照）。
【００１７】
【発明の効果】
本発明による本体は、材質はシリコンゴムであること、全長が土踏まず後部周辺から五指付根までの全幅に亘って広がること、下面は扁平鏡面で上面には凹凸や浮き出し模様（エンボス加工）を施すこと、最大肉厚から周辺に向かうに伴って肉薄となるから上面がアーチ形やウエーブ状の外観を呈すること、硬度は２５度ないし３５度の引張り強度を有すること等が恰も有機的・機械的に結合した独特の構成である。
【００１８】
従って、本体自体に汚れが付着しにくく、塑性強度が高く形状変化も起こりにくい。特に、足裏の土踏まず・中足骨・小指側への刺激が強化され、それらのアーチ形へのサポート力が向上してコンスタントな健康保全の維持に役立つ。
【００１９】
また、足裏と本体との密着を抑制し、かつ、空気の自然流通を可及的円滑にしているから、土踏まずから五指付根にべた付くことはなく、逆に足裏の発汗時には歩行によって恰も呼吸作用の如く機能し、発汗の蒸発作用を促すので本体に対して足裏の滑りは制御される。
要するに、常に衛生的状態を保持するとともに最善の使用感が確保され、仮に汚れが付着しても極めて容易に洗い流すことができる。
【００２０】
さらに、本体は底板に対して広い面積による密着率が高く、両者の貼り付き度合いが良く丸まったり、ずれたり、めくれたりして剥離し脱落が生じにくく、前記と相俟って一層良好な使用感が得られ、かつ、五指爪先の汚れも防止できる。
【００２１】
そして、金型押圧成形によって常にピンホールや注入口痕跡・バリ等のない美麗、かつ、高品質の製品が瞬時に得られ生産性に富みコスト安となる。
【図面の簡単な説明】
【図１】本発明に係る右足用本体の一実施形態を示す説明的正面図である。
【図２】本発明に係る右足用本体の一実施形態を示す左側面図である。
【図３】本発明に係る右足用本体の一実施形態を示す平面図である。
【図４】本発明に係る右足用本体の使用態様を示す説明図である。
【符号の説明】
１　　本体
２　　下面
３　　上面
４　　浮き出し模様
５　　土踏まず
６　　五指付根
７　　履物
８　　底板
９　　周辺
【図１】
2004105457.tif 000003
【図２】
2004105457.tif 000004
【図３】
2004105457.tif 000005
【図４】
2004105457.tif 000006